(57)【特許請求の範囲】
【請求項１】
表示手段に表示される電子番組表を作成する制御手段を備えた録画装置であって、
前記制御手段が、
前記電子番組表に表示されているカーソルの位置にもとづき当該カーソルが選択している番組を特定する選択番組特定部と、
前記カーソルが選択している番組が予約操作される前において、該カーソルが選択する番組を仮に繰り返し録画で予約することとしたときに、既に予約されている番組の時間と重複するか否かを確認する重複確認部と、
確認の結果、重複するときには、前記カーソルの表示形態を変更する表示形態制御部とを有し、
前記重複確認部は、前記確認を、前記カーソルが移動するごとに実行し、
前記表示形態制御部は、前記カーソルが移動するごとに実行された前記確認の結果、重複するときには、前記カーソルの表示形態を変更する
ことを特徴とする録画装置。
【請求項２】
前記重複確認部は、前記カーソルが選択する番組を繰り返し録画で予約することとしたときに、当該番組の放送時間と、既に予約されている番組の時間とが重複するか否かを確認し、
前記表示形態制御部は、前記確認の結果、重複するときには、前記カーソルの表示形態を変更する
ことを特徴とする請求項１記載の録画装置。
【請求項３】
前記重複確認部は、前記カーソルが選択する番組を、毎日同じ時間に録画を行う毎日繰り返し録画で予約することとしたときに、翌日以降の前記録画の時間と、既に予約されている番組の時間とが重複するか否かを確認し、
前記表示形態制御部は、前記確認の結果、重複するときには、前記カーソルの表示形態を変更する
ことを特徴とする請求項１又は２記載の録画装置。
【請求項４】
前記重複確認部は、前記カーソルが選択する番組を、毎週同じ曜日の同じ時間に録画を行う毎週繰り返し録画で予約することとしたときに、翌週以降の前記録画の曜日及び時間と、既に予約されている番組の曜日及び時間とが重複するか否かを確認し、
前記表示形態制御部は、前記確認の結果、重複するときには、前記カーソルの表示形態を変更する
ことを特徴とする請求項１〜３のいずれかに記載の録画装置。
【請求項５】
前記表示形態制御部は、
前記カーソルの通常の表示形態と、
前記カーソルが選択している番組そのものの時間と、既に予約されている番組の時間とが重複するときの、前記カーソルの表示形態と、
前記カーソルが選択している番組を毎日繰り返し録画で予約することとしたときにおける、翌日以降の録画の時間と、既に予約されている番組の時間とが重複するときの、前記カーソルの表示形態と、
前記カーソルが選択している番組を毎週繰り返し録画で予約することとしたときにおける、翌週以降の録画の曜日及び時間と、既に予約されている番組の曜日及び時間とが重複するときの、前記カーソルの表示形態と
をそれぞれ異ならせて前記カーソルを表示させる
ことを特徴とする請求項４記載の録画装置。
【請求項６】
前記表示形態が、色、模様、形状、点滅、アニメーション、グラデーションのうちのいずれか一つ以上を含む
ことを特徴とする請求項１〜５のいずれかに記載の録画装置。
【請求項７】
電子番組表を表示する表示装置と、この表示装置に前記電子番組表を表示させる録画装置とを備えた録画システムであって、
前記録画装置が、前記請求項１〜６のいずれかに記載の録画装置からなる
ことを特徴とする録画システム。
【請求項８】
録画装置が電子番組表を作成し、表示手段が前記電子番組表を表示する番組予約方法であって、
前記録画装置の制御手段が、
前記電子番組表に表示されているカーソルの位置にもとづき当該カーソルが選択している番組を特定し、
前記カーソルが選択している番組が予約操作される前において、該カーソルが選択する番組を仮に繰り返し録画で予約することとしたときに、既に予約されている番組の時間と重複するか否かを確認し、
確認の結果、重複するときには、前記カーソルの表示形態を変更し、
前記確認を、前記カーソルが移動するごとに実行し、前記確認の結果、重複するときには、前記カーソルの表示形態を変更する
ことを特徴とする番組予約方法。
【請求項９】
表示手段に表示される電子番組表の作成処理を録画装置の制御手段に実行させる番組予約プログラムであって、
前記電子番組表に表示されているカーソルの位置にもとづき当該カーソルが選択している番組を特定する処理と、
前記カーソルが選択している番組が予約操作される前において、該カーソルが選択する番組を仮に繰り返し録画で予約することとしたときに、既に予約されている番組の時間と重複するか否かを確認する処理と、
確認の結果、重複するときには、前記カーソルの表示形態を変更する処理と、
前記確認を、前記カーソルが移動するごとに実行し、確認の結果、重複するときには、前記カーソルの表示形態を変更する処理とを
前記制御手段に実行させる
ことを特徴とする番組予約プログラム。
【発明の詳細な説明】
【技術分野】
【０００１】
本発明は、番組情報が付加された映像信号を受信する受信機などで、電子番組表を用いて録画予約を行う録画装置、この録画装置を備えた録画システム、番組の録画予約を行う番組予約方法、及びこの番組予約方法を実現するための番組予約プログラムに関し、特に、電子番組表に表示されたカーソルの表示形態の変化を確認するだけで、そのカーソルにより選択された番組の繰り返し録画予約が可能か否かを容易に認識できる録画装置、録画システム、番組予約方法及び番組予約プログラムに関する。
【背景技術】
【０００２】
近年、デジタル放送の開始に伴い、放送番組の電子情報（ＥＰＧ）が放送局から送信されるようになっている。また、インタネットのＥＰＧサイトから最新の電子番組表（ＥＰＧ）を入手することも可能となっている。その電子番組表を用いることで、ユーザは、放送番組の録画予約を簡単に行うことができる。
【０００３】
ところで、複数の番組について録画予約をするときに、それら番組間で放送時間が重複することがあるが、この放送時間の重複をユーザに知らせる技術が従来から種々提案されている。
例えば、電子番組表が、通常の番組表と録画装置別表示欄とを表示する構成としたものがある（例えば、特許文献１参照。）。ここで、録画装置別表示欄とは、既に録画予約された番組のうち、通常の番組表に示された時間帯の範囲内で予約された既予約番組について、録画装置ごとに配列表示したものをいう。
この録画装置別表示欄を見ることにより、ユーザは、どの予約が重複しているのか視覚的に容易に識別することができる。
【０００４】
また、他の技術としては、例えば、電子番組表において、他の既予約番組と重複している番組の番組枠の色を変化させるものがある（例えば、特許文献２参照。）。
これにより、ユーザは、どの予約が重複しているのかを、視覚的に容易に識別することができる。
【０００５】
さらに、他の技術としては、例えば、リモコンの十字キーより電子番組表中のカーソルを移動して番組を選択する番組移動手段と、リモコンの決定キーによりカーソルで選択した番組を視聴または録画予約する画面を表示する番組決定手段と、番組決定手段で表示された画面から番組を視聴または録画予約する番組予約処理と、電子決定手段で表示された画面から番組を視聴または録画予約する番組予約手段と、電子番組表に表示されている番組のうち番組予約手段で予約された番組と重複する時間帯である番組に色付けする重複番組表示手段とを備えた構成としたものがある（例えば、特許文献３参照。）。
この技術によれば、電子番組表において番組を予約する場合、既に予約した番組と時間帯が重複しているかどうかが直感的にわかりやすくなる。
【特許文献１】特開２００５−２１７９１５号公報
【特許文献２】特開２００３−２１９３０５号公報
【特許文献３】特開２００５−２２９２４８号公報
【発明の開示】
【発明が解決しようとする課題】
【０００６】
しかしながら、特許文献１に記載の技術においては、通常の番組表に示された時間帯と重複する既予約の番組については録画装置別表示欄に表示されるため容易に確認できるものの、通常の番組表に表示されている番組（カーソルにより選択されている番組）を繰り返し録画予約する場合に、翌日以降に重複する既予約の番組の有無を、その表示されている電子番組表の画面上で確認することは容易ではなかった。具体的には、繰り返し録画の予約操作を行った後でなければ、翌日以降で重複する既予約番組の有無を確認することができなかった。
そして、これについては、特許文献２及び３においても同様のことが言える。
【０００７】
本発明は、上記の事情にかんがみなされたものであり、電子番組表で選択している番組が、既に予約されている番組と重複することなく繰り返し録画可能かどうかを、容易に認識することが可能な録画装置、録画システム、番組予約方法及び番組予約プログラムの提供を目的とする。
【課題を解決するための手段】
【０００８】
この目的を達成するため、本発明の録画装置は、表示手段に表示される電子番組表を作成する制御手段を備えた録画装置であって、制御手段が、電子番組表に表示されているカーソルの位置にもとづき当該カーソルが選択している番組を特定する選択番組特定部と、カーソルが選択している番組が予約操作される前において、該カーソルが選択する番組を仮に繰り返し録画で予約することとしたときに、既に予約されている番組の時間と重複するか否かを確認する重複確認部と、確認の結果、重複するときには、カーソルの表示形態を変更する表示形態制御部とを有し、重複確認部は、確認を、カーソルが移動するごとに実行し、表示形態制御部は、確認の結果、重複するときには、カーソルの表示形態を変更する構成としてある。
録画装置をこのような構成とすると、カーソルにより選択されている番組が繰り返し録画可能か否かを、カーソルの表示形態の変化によって認識できる。
【０００９】
また、本発明の録画装置は、重複確認部は、カーソルが選択する番組を仮に繰り返し録画で予約することとしたときに、当該番組の放送時間と、既に予約されている番組の時間とが重複するか否かを確認し、表示形態制御部は、確認の結果、重複するときには、カーソルの表示形態を変更する構成とすることができる。
録画装置をこのような構成とすれば、カーソルにより選択されている番組の放送時間と重複する既予約番組の有無を、カーソルの表示形態の変化によって認識できる。
【００１０】
また、本発明の録画装置は、重複確認部は、カーソルが選択する番組を、仮に毎日同じ時間に録画を行う毎日繰り返し録画で予約することとしたときに、翌日以降の録画の時間と、既に予約されている番組の時間とが重複するか否かを確認し、表示形態制御部は、確認の結果、重複するときには、カーソルの表示形態を変更する構成とすることができる。
録画装置をこのような構成とすると、カーソルにより選択されている番組を繰り返し録画予約する場合に、翌日以降の録画の時間と重複する既予約番組の有無を、カーソルの表示形態の変化によって認識できる。
【００１１】
また、本発明の録画装置は、重複確認部は、カーソルが選択する番組を、仮に毎週同じ曜日の同じ時間に録画を行う毎週繰り返し録画で予約することとしたときに、翌週以降の録画の曜日及び時間と、既に予約されている番組の曜日及び時間とが重複するか否かを確認し、表示形態制御部は、確認の結果、重複するときには、カーソルの表示形態を変更する構成とすることができる。
録画装置をこのような構成とすれば、カーソルにより選択されている番組を繰り返し録画予約する場合に、翌日以降の録画の時間と重複する既予約番組の有無を、カーソルの表示形態の変化によって認識できる。
【００１２】
また、本発明の録画装置は、表示形態制御部を、カーソルの通常の表示形態と、カーソルが選択している番組そのものの時間と、既に予約されている番組の時間とが重複するときの、カーソルの表示形態と、カーソルが選択している番組を毎日繰り返し録画で予約することとしたときにおける、翌日以降の録画の時間と、既に予約されている番組の時間とが重複するときの、カーソルの表示形態と、カーソルが選択している番組を毎週繰り返し録画で予約することとしたときにおける、翌週以降の録画の曜日及び時間と、既に予約されている番組の曜日及び時間とが重複するときの、カーソルの表示形態とをそれぞれ異ならせてカーソルを表示させる構成とすることができる。
録画装置をこのような構成とすると、カーソルの表示形態によって、既予約番組の重複する時間帯がいずれであるかを認識できる。
【００１３】
また、本発明の録画装置は、表示形態を、色、模様、形状、点滅、アニメーション、グラデーションのうちのいずれか一つ以上を含む構成とすることができる。
録画装置をこのような構成とすれば、様々な表示形態でカーソルを表示可能とすることで、既予約番組の重複する時間帯がいずれであるかを視覚的に容易に認識できる。
【００１４】
また、本発明の録画システムは、電子番組表を表示する表示装置と、この表示装置に電子番組表を表示させる録画装置とを備えた録画システムであって、録画装置が、請求項１〜６のいずれかに記載の録画装置からなる構成とすることができる。
録画システムをこのような構成とすれば、表示装置に表示されている電子番組表のカーソルの表示形態を確認することで、そのカーソルが選択している番組が繰り返し録画予約可能か否かを容易に認識できる。
【００１５】
また、本発明の番組予約方法は、録画装置が電子番組表を作成し、表示手段が電子番組表を表示する番組予約方法であって、録画装置の制御手段が、電子番組表に表示されているカーソルの位置にもとづき当該カーソルが選択している番組を特定し、カーソルが選択している番組が予約操作される前において、該カーソルが選択する番組を仮に繰り返し録画で予約することとしたときに、既に予約されている番組の時間と重複するか否かを確認し、確認の結果、重複するときには、カーソルの表示形態を変更し、確認を、カーソルが移動するごとに実行し、確認の結果、重複するときには、カーソルの表示形態を変更することを特徴とする番組予約方法方法としてある。
番組予約方法をこのような方法とすると、カーソルの表示形態の変化によって、そのカーソルが選択している番組が繰り返し録画予約できるかどうかを視覚的に容易に認識できる。
【００１６】
また、本発明の番組予約プログラムは、表示手段に表示される電子番組表の作成処理を録画装置の制御手段に実行させる番組予約プログラムであって、電子番組表に表示されているカーソルの位置にもとづき当該カーソルが選択している番組を特定する処理と、カーソルが選択している番組が予約操作される前において、該カーソルが選択する番組を仮に繰り返し録画で予約することとしたときに、既に予約されている番組の時間と重複するか否かを確認する処理と、確認の結果、重複するときには、カーソルの表示形態を変更する処理と、確認を、カーソルが移動するごとに実行し、この確認の結果、重複するときには、カーソルの表示形態を変更する処理とを制御手段に実行させる構成とすることができる。
このように、本発明は、番組予約プログラムによっても実現できる。
【発明の効果】
【００１７】
以上のように、本発明によれば、電子番組表に表示されているカーソルの表示形態の変化を見るだけで、そのカーソルが選択している番組が、既に予約されている番組と重複することなく、繰り返し録画可能かどうか容易に認識することができる。
【発明を実施するための最良の形態】
【００１８】
以下、本発明に係る録画装置、録画システム、番組予約方法及び番組予約プログラムの好ましい実施形態について、図面を参照して説明する。
【００１９】
［録画装置、録画システム］
まず、本発明の録画装置及び録画システムの実施形態について、図１を参照して説明する。
同図は、本実施形態の録画装置の構成を示すブロック図である。
同図に示すように、録画装置１は、プログラム制御により動作するコンピュータであって、信号入力端子１０と、チューナ１１と、デコーダ１２と、画面合成手段１３と、映像出力端子１４と、記憶手段１５と、リモコン装置１６と、制御手段１７とを有している。
【００２０】
信号入力端子１０は、アンテナ等（図示せず）で受信された信号を入力するための端子である。
チューナ１１は、制御手段１７からの指示を受けて選局、復調を行い、ＭＰＥＧトランスポートストリームなどの信号を出力する。その出力は、デコーダ１２へ入力される。
デコーダ１２は、チューナ１１から入力された信号から映像信号を復号し、画面合成手段１３に出力するともに、番組情報等を制御手段１７に出力する。
【００２１】
画面合成手段１３は、デコーダ１２の出力映像と制御手段１７で作成した電子番組表２０等の表示とを合成して、映像出力端子１４に出力する。
映像出力端子１４は、図２に示すように、テレビ等の表示装置２を接続する端子である。表示装置２は、映像出力端子１４を介して送られてきた電子番組表２０を表示手段２ａに表示する。
なお、録画装置１と表示装置２とを併せて「録画システムＡ」という。
【００２２】
記憶手段１５は、録画予約情報や映像を記録・録画するためのＨＤＤ（Ｈａｒｄ  Ｄｉｓｋ  Ｄｒｉｖｅ）やＯＤＤ（Ｏｐｔｉｃａｌ  Ｄｉｓｋ  Ｄｒｉｖｅ），メモリ等である。
リモコン装置１６は、ユーザの操作を制御手段１７に伝えるための入力装置である。
【００２３】
このリモコン装置１６は、図３に示すように、カーソル移動キー１６−１と、決定キー１６−２とを有している。
カーソル移動キー１６−１は、電子番組表２０に表示されているカーソル２４を移動させるためのキーである。通常、上，下，右，左の四つのキーで構成されている。
決定キー１６−２は、所定の事項について決定する際に操作されるキーである。例えば、カーソル２４により選択されている番組を録画予約する際などにおいても操作される。
【００２４】
制御手段１７は、リモコン装置１６からユーザの操作を受信すると、その操作内容にもとづき録画装置１の有する各種機能を制御する。
また、制御手段１７は、図４に示すように、番組情報取得部１７−１と、電子番組表作成部１７−２と、カーソル移動制御部１７−３と、決定部１７−４と、選択番組特定部１７−５と、番組情報管理部１７−６と、重複確認部１７−７と、表示形態制御部１７−８と、表示形態設定部１７−９とを有している。
【００２５】
番組情報取得部（番組情報取得手段）１７−１は、デコーダ１２から番組情報を取得する。この取得した番組情報は、番組情報管理部１７−６で管理される。なお、その取得した番組情報は、記憶手段１５に記憶させることができる。
電子番組表作成部（電子番組表作成手段）１７−２は、録画予約時に電子番組表２０を作成する。この作成された電子番組表２０は、画面合成手段１３へ送られる。
【００２６】
カーソル移動制御部（カーソル移動制御手段）１７−３は、リモコン装置１６のカーソル移動キー１６−１の操作内容にもとづき電子番組表２０に表示されたカーソル２４を移動させる。例えば、カーソル移動キー１６−１の「右」が押されたときは、カーソル２４を右に移動させる。また、カーソル移動キー１６−１の「下」が押されたときは、カーソル２４を下に移動させる。
【００２７】
決定部（決定手段）１７−４は、リモコン装置１６の決定キー１６−２の操作にもとづき所定の事項について決定を行う。
選択番組特定部（選択番組特定手段）１７−５は、電子番組表２０に表示されているカーソル２４の位置にもとづき当該カーソル２４が選択している番組を特定する。
【００２８】
番組情報管理部（番組情報管理手段）１７−６は、選択番組特定部１７−５で特定された番組に関する情報を、番組情報取得部１７−１で取得された番組情報の中から取り出す。
番組情報の内訳としては、例えば、番組の名称，放送開始時間，放送終了時間，放送局などが挙げられる。
なお、番組情報が記憶手段１５に記憶されているときは、選択番組特定部１７−５で特定された番組に関する情報を記憶手段１５から取り出す。
【００２９】
重複確認部（重複確認手段）１７−７は、番組情報管理部１７−６で取得された番組情報にもとづき、カーソル２４が選択している番組を仮に繰り返し録画で予約することとしたときに、既に予約されている番組（既予約番組）の時間と重複するか否かを確認（判断）する。
この重複確認部１７−７で実行される確認には、次のものがある。
例えば、カーソル２４が選択している番組を繰り返し録画で予約することとしたときに、当該番組の放送時間と、既予約番組の時間とが重複するか否かを確認するものがある（第一の重複確認方法）。
【００３０】
また、他の例としては、カーソル２４が選択している番組を、毎日同じ時間に録画を行う毎日繰り返し録画で予約することとしたときに、翌日以降の録画の時間と、既予約番組の時間とが重複するか否かを確認するものがある（第二の重複確認方法）。
さらに、他の例としては、カーソル２４が選択している番組を、毎週同じ曜日の同じ時間に録画を行う毎週繰り返し録画で予約することとしたときに、翌週以降の録画の曜日及び時間と、既予約番組の曜日及び時間とが重複するか否かを確認するものがある（第三の重複確認方法）。
【００３１】
なお、第二の重複確認方法又は第三の重複確認方法には、毎週複数の曜日（例えば、月曜日から金曜日まで、月曜日から土曜日まで、火曜日から木曜日まで、月・水・金曜日など）のそれぞれの同じ時間に録画を行う繰り返し録画予約を含む。
【００３２】
表示形態制御部（表示形態制御手段）１７−８は、重複確認部１７−７での判断の結果、重複するときには、カーソル２４の表示形態を変更する。
カーソル２４の表示形態には、例えば、色、模様、グラデーション、形状、点滅、アニメーションなどがある。
「模様」は、複数の色の組合せである。
「グラデーション」とは、濃淡を段階的に推移させたものをいう。
「形状」とは、カーソル２４のかたち（外形）をいう。例えば、正方形、長方形、菱形、三角形、五角形、六角形、八角形、円形などが含まれる。また、四角形の角を丸くした形状、不等辺の多角形、雲形などを含めることができる。
【００３３】
「点滅」は、カーソル２４の一部又は全部の点滅をいう。
「アニメーション」とは、カーソル２４そのもの、又は、カーソル２４を装飾する色，模様，外形線などが所定の動作を行うことをいう。例えば、カーソル２４の色が順次変わること、カーソル２４の模様が左から右へ移動していくこと、外形線である点線がその外形に沿って少しずつ移動していくことなどが挙げられる。
【００３４】
そして、表示形態制御部１７−８は、重複確認部１７−７での確認結果に応じて、カーソル２４の表示形態を変えることができる。
例えば、
（１）カーソル２４の通常の表示形態（カーソル２４が選択している番組を繰り返し録画で予約することとしたときに既予約番組と重複しないときを含む。）
（２）カーソル２４が選択している番組そのものの時間と、既予約番組の時間とが重複するときの、当該カーソル２４の表示形態
【００３５】
（３）カーソル２４が選択している番組を毎日繰り返し録画で予約することとしたときにおける、翌日以降の録画の時間と、既予約番組の時間とが重複するときの、当該カーソル２４の表示形態
（４）カーソル２４が選択している番組を毎週繰り返し録画で予約することとしたときにおける、翌週以降の録画の曜日及び時間と、既予約番組の曜日及び時間とが重複するときの、当該カーソル２４の表示形態
これら（１）〜（４）の各カーソル２４の表示形態をそれぞれ異ならせて、電子番組表２０にそのカーソル２４を表示させることができる。これにより、ユーザは、その表示形態の種類を確認することで、既予約番組とどのように重複するかを認識できる。
【００３６】
表示形態設定部（表示形態設定手段）１７−９は、リモコン装置１６の操作内容にもとづき、複数ある表示形態の中から選択された表示形態をカーソル２４の表示形態として設定する。このように、カーソル２４の表示形態は、ユーザにより変更することができる。
【００３７】
次に、電子番組表について、図５を参照して説明する。
電子番組表２０は、録画装置１の制御手段１７（電子番組表作成部１７−２）において録画予約時に作成され、画面合成手段１３で出力画像と合成され、映像出力端子１４を介して表示装置２へ出力され、表示手段２ａで表示される。
この電子番組表２０は、同図に示すように、番組の時間帯を示す時間帯表示欄２１、放送局名を示す放送局名表示欄２２、番組名を表示する番組名表示欄２３、ユーザが選択している番組を表示するカーソル２４を有している。
【００３８】
［番組予約方法］
次に、番組予約方法のうち、録画装置の制御手段が電子番組表上にカーソルを表示する動作について、図６を参照して説明する。
同図に示すように、まず、制御手段１７の番組情報取得部１７−１が、デコーダ１２からの番組情報を取得する（ステップ１０）。
次いで、取得した番組情報にもとづき、図５に示す電子番組表２０が制御手段１７で作成され、画面合成手段１３へ出力され、表示装置２へ送られて表示される（ステップ１１）。
続いて、ユーザによって操作されたリモコン装置１６からの信号が受信されて（ステップ１２）、カーソル移動処理が行われる（ステップ１３）。
【００３９】
次に、番組予約方法のうち、カーソル移動処理について、図７を参照して説明する。
同図に示すように、制御手段１７の選択番組特定部１７−５にて、カーソル２４の位置にもとづき選択されている番組（カーソル移動先の番組）が特定される。
次いで、その特定された番組の番組情報が、番組情報管理部１７−６にて取り出される（番組情報の取得、ステップ２０）。
【００４０】
続いて、その取得された番組情報にもとづき、選択された番組の放送時間と重複する録画予約の有無が、重複確認部１７−７で確認される（第一の重複確認方法、同時刻に予約あり？、ステップ２１）。
確認の結果、重複する録画予約が存在する場合は、表示形態制御部１７−８での制御により、カーソル２４が所定の表示形態（例えば、赤色（色１））で表示され（ステップ２２）、ステップ１４へと進む。
【００４１】
次いで、カーソル移動先の番組の放送時間に重複する翌日以降の録画予約の有無が、重複確認部１７−７で確認される（第二の重複確認方法、翌日以降の同時刻に予約あり？、ステップ２３）。確認の結果、重複する翌日以降の録画予約が存在する場合は、カーソル２４が所定の表示形態（例えば黄色（色２））で表示され（ステップ２４）、ステップ１４へと進む。
同様に、カーソル移動先の番組の放送時間に重複する翌週以降の同曜日かつ同時刻の録画予約の有無が、重複確認部１７−７で確認される（第三の重複確認方法、翌週以降の同曜日同時刻に予約あり？、ステップ２５）。確認の結果、重複する翌週以降の同曜日かつ同時刻の録画予約が存在する場合は、カーソル２４が所定の表示形態（例えば青色（色３））で表示され（ステップ２６）、ステップ１４へと進む。
【００４２】
そして、いずれにも該当しない場合は、カーソル２４が所定の表示形態（例えば黒色（色４））で表示され（ステップ２７）、ステップ１４へと進む。
このように、カーソル２４を移動させるごとに既に予約されている録画予約との重複が容易に判断でき、カーソル２４で選択している番組を毎週・毎日といった繰り返し録画予約の可否が予約操作をする前に判断が可能である。
【００４３】
［番組予約プログラム］
次に、番組予約プログラムについて説明する。
上記の実施形態におけるコンピュータ（録画装置、録画システム）の番組予約機能（番組予約方法を実行するための機能）は、記憶手段（例えば、ＲＯＭ、ハードディスク、録画装置など）に記憶された番組予約プログラムにより実現される。
【００４４】
番組予約プログラムは、コンピュータの制御手段（ＣＰＵなど）に読み込まれることにより、コンピュータの構成各部に指令を送り、所定の処理、たとえば、選択番組特定部の選択番組特定処理、重複確認部の重複確認処理、表示形態制御部の表示形態変更処理などを行わせる。
これによって、番組予約機能は、ソフトウエアである番組予約プログラムとハードウエア資源であるコンピュータ（録画装置、録画システム）の各構成手段とが協働することにより実現される。
【００４５】
なお、番組予約機能を実現するための番組予約プログラムは、コンピュータのＲＯＭやハードディスクなどに記憶される他、コンピュータ読み取り可能な記録媒体、たとえば、外部記憶装置及び可搬記録媒体等に格納することができる。
外部記憶装置とは、ＣＤ−ＲＯＭ等の記憶媒体を内蔵し、録画装置に外部接続されるメモリ増設装置をいう。一方、可搬記録媒体とは、記録媒体駆動装置（ドライブ装置）に装着でき、かつ、持ち運び可能な記録媒体であって、たとえば、フレキシブルディスク，メモリカード，光磁気ディスク等をいう。
【００４６】
そして、記録媒体に記録されたプログラムは、コンピュータのＲＡＭ等にロードされて、ＣＰＵ（制御手段）により実行される。この実行により、上述した本実施形態の録画装置の機能が実現される。
さらに、コンピュータで番組予約プログラムをロードする場合、他のコンピュータで保有された番組予約プログラムを、通信回線を利用して自己の有するＲＡＭや外部記憶装置にダウンロードすることもできる。このダウンロードされた番組予約プログラムも、ＣＰＵにより実行され、本実施形態の録画装置の番組予約機能を実現する。
【００４７】
以上、本発明の録画装置、録画システム、番組予約方法及び番組予約プログラムの好ましい実施形態について説明したが、本発明に係る録画装置、録画システム、番組予約方法及び番組予約プログラムは上述した実施形態にのみ限定されるものではなく、本発明の範囲で種々の変更実施が可能であることは言うまでもない。
例えば、上述した実施形態では、カーソル２４の表示形態を変更することで重複状況を表示したが、カーソル２４の表示形態の変更に限るものではなく、例えば、図８に示すように、番組名表示欄２２の表示色を変更することとしてもよい。
例えば、放送局「総合テレビＡ」の翌日１７時００分から１７時５０分までの番組「Ａ１７１」が既に予約されている場合に、同図に示すように、同時間帯と重複する番組を所定の色で表示させることができる。
【産業上の利用可能性】
【００４８】
本発明は、電子番組表を用いて録画予約を行う装置に関する発明であるため、電子番組表を表示する装置や録画予約を行う装置に利用可能である。
【図面の簡単な説明】
【００４９】
【図１】本発明の録画装置の構成を示すブロック図である。
【図２】録画装置を備えた録画システムの構成を示すブロック図である。
【図３】リモコン装置の構成を示す外観図である。
【図４】録画装置の制御手段の構成を示すブロック図である。
【図５】電子番組表の構成例を示す図表である。
【図６】電子番組表の表示に関する動作手順を示すフローチャートである。
【図７】カーソル移動処理の動作手順を示すフローチャートである。
【図８】電子番組表の他の構成例を示す図表である。
【符号の説明】
【００５０】
１  録画装置
１０  信号入力端子
１１  チューナ
１２  デコーダ
１３  画面合成手段
１４  映像出力端子
１５  記憶手段
１６  リモコン装置
１７  制御手段
１７−２  電子番組表作成部
１７−５  選択番組特定部
１７−６  番組情報管理部
１７−７  重複確認部
１７−８  表示形態制御部
２  表示装置
２ａ  表示手段
【図１】
0004633001.tif 000002
【図２】
0004633001.tif 000003
【図３】
0004633001.tif 000004
【図４】
0004633001.tif 000005
【図５】
0004633001.tif 000006
【図６】
0004633001.tif 000007
【図７】
0004633001.tif 000008
【図８】
0004633001.tif 000009